(57)【要約】      （修正有）【課題】見た目が美しく、かつ、腰を保護する機能を有する帯エプロンを提供する。【解決手段】帯エプロン１０は、腰から下を覆うスカート部１１と、該スカート部１１の上端に設けられた帯部１２とを備え、帯部１２を体に巻いて着用する。帯部１２は、表側生地と、裏側生地と、それらの間に挿入された芯地とを有し、帯部１２の幅は、８ｃｍ以上２０ｃｍ以下の範囲内とされることが好ましい。帯部１２の長さは、体を１．３周以上２周以下の範囲内で巻回可能な長さとすることが好ましい。【選択図】図１
0003169009.tif 000002
【実用新案登録請求の範囲】
【請求項１】
スカート部の上端に設けた帯部を体に巻いて着用する帯エプロンであって、
前記帯部は、表側生地と、裏側生地と、それらの間の芯地とを有し、
前記帯部の幅は、８ｃｍ以上２０ｃｍ以下の範囲内である
ことを特徴とする帯エプロン。
【請求項２】
前記帯部は、体を１．３周以上２周以下の範囲内で巻回可能な長さを有し、
前記帯部の両端には、前記帯部を延長するように、芯材を備えていない紐部が設けられ、
前記帯部には、前記紐部を通すための孔が設けられた
ことを特徴とする請求項１記載の帯エプロン。
【考案の詳細な説明】
【技術分野】
【０００１】
本考案は、衣服の汚れを防ぐ等の目的で着用されるエプロンに関する。
【背景技術】
【０００２】
エプロンとしては、例えば、胸からひざ、または腰から下を覆うものが広く知られている（例えば、特許文献１参照）。このようなエプロンでは、例えば、腰から下を覆うスカート部の上端に腰紐を設け、この腰紐を体に巻きつけて結ぶことにより着用される。しかし、現在用いられているエプロンは、デザイン重視又はコストの面からエプロンの腰紐が細いものもあり、そのため腰紐がずれて結ばれてしまい、だらしなく見えてしまうという問題があった。
【０００３】
また、エプロンを着用して作業をする際には、腰に負担がかかる場合も多く、腰を保護することができれば好ましい。例えば、和服を着るときに用いる帯は、腰を保護するのに非常に優れているが、現在は洋服が主として着用されているので、帯を日常的に用いるのは難しい。
【先行技術文献】
【特許文献】
【０００４】
【特許文献１】登録実用新案第３１０５０４８号公報
【考案の概要】
【考案が解決しようとする課題】
【０００５】
本考案は、このような問題に基づきなされたものであり、見た目が美しく、かつ、腰を保護する機能を有する帯エプロンを提供することを目的とする。
【課題を解決するための手段】
【０００６】
本考案の帯エプロンは、スカート部の上端に設けた帯部を体に巻いて着用するものであって、帯部は、表側生地と、裏側生地と、それらの間の芯地とを有し、帯部の幅は、８ｃｍ以上２０ｃｍ以下の範囲内のものである。
【考案の効果】
【０００７】
本考案の帯エプロンによれば、帯部の幅を広くし、芯地を入れたので、腰をしっかり締めることができ、腰を保護することができると共に、帯部がずれにくくなり、見た目も美しくすることができる。また、腰を保護するという帯の長所を生かしながら、帯のように長くないので、簡単に着用することができる。
【図面の簡単な説明】
【０００８】
【図１】本発明の一実施の形態に係る帯エプロンの構成を表す図である。
【図２】図１に示した帯エプロンを着用した状態を表す前から見た図である。
【図３】図１に示した帯エプロンを着用した状態を表す後から見た図である。
【図４】本発明の変形例を表す図である。
【考案を実施するための形態】
【０００９】
以下、本考案の実施の形態について、図面を参照して詳細に説明する。
【００１０】
図１は、本考案の一実施の形態に係る帯エプロン１０の構成を表すものであり、図２は、帯エプロン１０を着用した状態を前から見たものであり、図３は、帯エプロン１０を着用した状態を後ろから見たものである。この帯エプロン１０は、腰から下を覆うスカート部１１と、スカート部１１の上端に設けられた帯部１２とを備え、帯部１２を体に巻いて着用するものである。スカート部１１は、少なくとも体の前側の一部を覆うように設けられていればよいが、前から脇にかけて覆うようにしてもよく、更に、後ろまで覆うようにしてもよい。スカート部１１は、どのような材料により構成されていてもよく、用途に応じて適宜選択される。材料としては、例えば、綿又は化学繊維などよりなる布地や、ビニールなどの高分子樹脂が挙げられ、それらを複合して用いてもよい。
【００１１】
帯部１２は、例えば、表側生地と、裏側生地と、それらの間に挿入された芯地とを有している。芯地により腰を支える力を大きくし、帯部１２の見た目も美しくするためである。表側生地と裏側生地とは、別布で構成して縫い合わせるようにしてもよく、また、一枚の布を折り返して縫い合わせるようにしてもよい。表側生地及び裏側生地は、例えば、綿により構成することが好ましい。通気性がよく、むれを防止することができるからである。芯地は、例えば、綿により構成することが好ましい。汗を吸収することができるからである。また、芯地は１枚でもよいが、２枚以上を重ねて用いてもよい。例えば、芯地を二重にして入れるようにすれば、よりしっかりと腰を保護することができるので好ましい。
【００１２】
帯部１２の幅Ｗ１は、８ｃｍ以上２０ｃｍ以下の範囲内であることが好ましく、１０ｃｍ以上１８ｃｍ以下の範囲内、更には、１２ｃｍ以上１６センチ以下の範囲内、更には、１３ｃｍから１５ｃｍの範囲内であればより好ましい。幅Ｗ１が狭いと、腰を支える効果が小さく、幅Ｗ１が広すぎると、おなかを圧迫してしまうからである。
【００１３】
帯部１２の長さＬ１は、例えば、体（具体的には胴部）を１．３周以上の範囲で巻回可能な長さとすることが好ましい。帯部１２を腰の後ろで重ね合わせることにより、腰をしっかりと保護することができるからである。また、帯部１２の長さＬ１は、例えば、体を２周以下の範囲で巻回可能な長さとすればより好ましい。あまり長いと簡単に着用することが難しくなるからである。なお、帯部１２の長さＬ１は、例えば、体を１．５周以上２周以下の範囲内で巻回可能な長さとすればより好ましい。また、具体的には、体型により異なるが、帯部１２の長さＬ１は、例えば、８０ｃｍ以上１６０ｃｍ以下の範囲内とすることが好ましい。
【００１４】
帯部１２の両端部には、例えば、帯部１２を延長するように、芯材を備えていない紐部１３が設けられている。紐部１３は、結ぶことにより、帯部１２を体に固定するためのものである。紐部１３は、表側生地と裏側生地とを有していてもよいが、表側生地のみにより構成されていてもよい。また、紐部１３は、帯部１２と同一の生地により構成されていてもよいが、異なる生地により構成されていてもよい。紐部１３の幅Ｗ２は、例えば、５ｃｍから１０ｃｍ程度とすることが好ましい。結びやすくかつ帯部１２とのバランスもよいからである。紐部１３の長さＬ２は、例えば、１０ｃｍから４０ｃｍ程度とすることが好ましい。
【００１５】
帯部１２には、紐部１３を通すための孔１４が設けられている。帯部１２を体に巻いたときに、体側になった紐部１３を表側に出すためである。孔１４は、着用したときに、体の脇又はその近傍に位置する箇所に設けることが好ましい。着用したときに前側から孔が見えにくいので、見た目を美しくすることができるからである。孔１４は、１つ設ければよいが、左右の脇又はその近傍に１つずつ設け、利き手によりどちらかを選んで利用することができるようにすることが好ましい。孔１４の大きさ（長さ）は、例えば、４ｃｍから８ｃｍ程度とすることが好ましい。
【００１６】
また、スカート部１１には、ギャザーを入れても入れなくてもよく、ポケット１５を必要に応じて設けるようにしてもよい。ポケット１５は、例えば、前側に設けてもよいが、後ろ側に設けることが好ましい。携帯電話等は、揚げ物を上げる時等、作業により前側のポケットでは危ない場合があるからである。
【００１７】
この帯エプロン１０では、エプロン部１１の位置を体に合わせ、帯部１２を前から後ろに回し、片方の紐部１３を帯部１２の孔１４に通して前側に出し、もう片方の紐部１３はそのまま後ろから前に回して、前側または脇で紐部１３を結ぶ。
【００１８】
このように本実施の形態の帯エプロン１０によれば、帯部１２の幅を広くし、芯地を入れたので、腰をしっかり締めることができ、腰を保護することができると共に、帯部１２がずれにくくなり、見た目も美しくすることができる。また、腰を保護するという帯の長所を生かしながら、帯のように長くないので、簡単に着用することができる。
【００１９】
以上、実施の形態を挙げて本考案を説明したが、本考案は上記実施の形態に限定されるものではなく、種々変形可能である。例えば、上記実施の形態では、スカート部１１を有する帯エプロン１０について説明したが、例えば、図４に示したように、帯部１２の上に胸当部１６及び肩紐１７を設けるようにしてもよい。
【００２０】
また、上記実施の形態では、紐部１３を結ぶことにより固定する場合について説明したが、紐部１３に替えて、面状ファスナーやスナップなどの固定具により帯部１２を固定するようにしてもよい。
【産業上の利用可能性】
【００２１】
エプロンに用いることができる。
【符号の説明】
【００２２】
１０…帯エプロン、１１…スカート部、１２…帯部、１３…紐部、１４…孔、１５…ポケット、１６…胸当部、１７…肩紐
【図１】
0003169009.tif 000003
【図２】
0003169009.tif 000004
【図３】
0003169009.tif 000005
【図４】
0003169009.tif 000006